(57)【要約】【課題】  本発明は、簡便に既設床版の剥落部分の断面修復及び剥落防止を行うことができ、工程が短縮され経済性が大幅に向上する断面修復・剥落防止併用工法を提供する。【解決手段】  コンクリートが剥落した既設コンクリート構造物の断面修復・剥落防止併用工法であって、前記既設コンクリート構造物の剥落部分にモルタル２，３を吹き付ける吹付工程と、前記モルタルの硬化前に、前記モルタルの表面を鏝で均しつつ繊維シート４を前記モルタルに塗り込む塗込工程とを備えたことを特徴とする。【選択図】  図７
2005097881.tif 000002
【特許請求の範囲】
【請求項１】
コンクリートが剥落した既設コンクリート構造物の断面修復・剥落防止併用工法であって、
前記既設コンクリート構造物の剥落部分にモルタルを吹き付ける吹付工程と、
前記モルタルの硬化前に、前記モルタルの表面を鏝で均しつつ繊維シートを前記モルタルに塗り込む塗込工程と
を備えたことを特徴とする断面修復・剥落防止併用工法。
【請求項２】
前記吹付工程の前に、前記剥落部分のコンクリートを取り除く表面処理工程を備えたことを特徴とする請求項１に記載の断面修復・剥落防止併用工法。
【請求項３】
コンクリートが剥落した既設コンクリート構造物の断面修復・剥落防止併用工法であって、
前記既設コンクリート構造物の剥落部分のコンクリートを鉄筋が露出するまで取り除く表面処理工程と、
前記剥落部分に基礎モルタルを吹き付ける吹付工程と、
該基礎モルタルを、前記鉄筋の全てに付着させて、空隙が無くなるように鏝でならす均し工程と、
該均し工程によりならされた前記基礎モルタルの表面に表層モルタルを吹き付ける第２吹付工程と、
前記表層モルタルの硬化前に、前記表層モルタルの表面を鏝で均しつつ繊維シートを前記表層モルタルに塗り込む塗込工程と
を備えたことを特徴とする断面修復・剥落防止併用工法。
【請求項４】
前記吹付工程の前に、前記剥落部分における鉄筋の錆びた部分を切断し、新たな鉄筋を継ぎ手する継手工程を備えたことを特徴とする請求項１乃至３のいずれかに記載の断面修復・剥落防止併用工法。
【請求項５】
前記繊維シートは、繊維が格子状に配されたものであることを特徴とする請求項１乃至４のいずれかに記載の断面修復・剥落防止併用工法。
【請求項６】
前記格子は三角形であることを特徴とする請求項５記載の断面修復・剥落防止併用工法。
【請求項７】
前記モルタル、前記基礎モルタル及び前記表層モルタルはポリマーセメントモルタルであることを特徴とする請求項１乃至６のいずれかに記載の断面修復・剥落防止併用工法。
【請求項８】
請求項１乃至７に記載の断面修復・剥落防止併用工法により断面修復されたことを特徴とする既設コンクリート構造物。
【発明の詳細な説明】
【技術分野】
【０００１】
本発明は、特に高速道路等の既設コンクリート構造物の断面修復・剥落防止併用工法に関する。
【背景技術】
【０００２】
高速道路等の既設コンクリート構造物において、ひび割れ等からの水分の浸透や、塩害等の要因により、鉄筋が錆びて膨張した結果、その周辺のコンクリートが爆裂して一部が剥落してしまうことがある。剥落した場合、剥落部分の劣化したコンクリートをウォータージェット等で取り除き、その後ポリマーセメントモルタルを打設して断面修復を行っていた。
【０００３】
一方、剥落を防止するために、既設コンクリート構造物の表面に剥落防止ネットをエポキシ樹脂で接着する剥落防止工法がある。
斯かる剥落防止工法に適用可能な技術として、新たに既設コンクリート構造物を作る時に、コンクリートの型枠の内面に繊維シートを仮止めし、鉄筋を架設し、型枠内にコンクリートを打設した後、硬化を待って脱型して既設コンクリート構造物を施工する方法がある（特許文献１）。
【特許文献１】特開２００１−３４８９９９（段落００２３、第１図、第３図等）
【発明の開示】
【発明が解決しようとする課題】
【０００４】
しかしながら、特許文献１に記載の技術は、新たに既設コンクリート構造物を施工する時に繊維シートを設ける方法であり、剥落した部分の断面修復の際には適用できないものである。また、断面修復時に剥落防止ネットを設けるためには、断面修復した仕上り表面に再度ディスクサンダー等で目荒しを行い、剥落防止ネットをエポキシ樹脂で接着する必要があり、非常に手間と時間がかかるものであった。この手順を図１３にフローチャートで記載する。
本発明は、このような問題点に鑑みなされたものであり、上記課題を解決できる断面修復・剥落防止併用工法を提供するものである。
【課題を解決するための手段】
【０００５】
前記目的を達成するために、本発明は、コンクリートが剥落した既設コンクリート構造物の断面修復・剥落防止併用工法であって、前記既設コンクリート構造物の剥落部分にモルタルを吹き付ける吹付工程と、前記モルタルの硬化前に、前記モルタルの表面を鏝で均しつつ繊維シートを前記モルタルに塗り込む塗込工程とを備えたことを特徴とする。
前記吹付工程の前に、前記剥落部分のコンクリートを取り除く表面処理工程を備えることができる。
前記目的を達成するために、本発明は、コンクリートが剥落した既設コンクリート構造物の断面修復・剥落防止併用工法であって、前記既設コンクリート構造物の剥落部分のコンクリートを鉄筋が露出するまで取り除く表面処理工程と、  前記剥落部分に基礎モルタルを吹き付ける吹付工程と、該基礎モルタルを、前記鉄筋の全てに付着させて、空隙が無くなるように鏝でならす均し工程と、該均し工程によりならされた前記基礎モルタルの表面に表層モルタルを吹き付ける第２吹付工程と、前記表層モルタルの硬化前に、前記表層モルタルの表面を鏝で均しつつ繊維シートを前記表層モルタルに塗り込む塗込工程とを備えたことを特徴とする。
前記吹付工程の前に、前記剥落部分における鉄筋の錆びた部分を切断し、新たな鉄筋を継ぎ手する継手工程を備えることができる。
前記繊維シートは、繊維が格子状に配されたものを使用できる。
前記格子は三角形であるものを使用できる。
前記モルタル、前記基礎モルタル及び前記表層モルタルはポリマーセメントモルタルを使用することができる。
既設コンクリート構造物は、上記に記載の断面修復・剥落防止併用工法により断面修復されたことを特徴とする。
【発明の効果】
【０００６】
本発明によれば、簡便に既設床版の剥落部分の断面修復及び剥落防止を行うことができ、工程が短縮され経済性が大幅に向上する断面修復・剥落防止併用工法を提供できる。
【発明を実施するための最良の形態】
【０００７】
次に、本発明の内容を詳細に説明するが、本発明はこれら実施の形態に何ら限定されるものではない。
【０００８】
図１乃至図７により、本発明の実施形態に係る、既設コンクリート構造物（既設床版Ｃ）の剥落部分の断面修復・剥落防止併用工法を説明する。
【０００９】
図１は施工の工程を示すフローチャートで、図２乃至図７は施工の各工程における断面修復構造物の状態を示す。
【００１０】
まず、断面修復が必要な既設床版Ｃの剥落部分Ａ（図２）における劣化したコンクリートをウォータージェット等で取り除き表面処理を行う。その際、劣化したコンクリートが残ることによる剥落の再発を防止するためには、図３に示すように鉄筋１が露出するまで取り除くことが好ましい。（Ｓ１）。
【００１１】
表面処理を行った後に、モルタルの吹付けを行うが、本実施形態では２度に分けて吹付けを行う（Ｓ２）。
１度目の吹付けは、基礎モルタル２を鉄筋１の表面まで行う（図４）。
その後に鉄筋１の隅や裏側等にモルタルが充填されていない部分が存在しないようにコテ等で押しならして充填する（図５）。
次に、２度目で所定の厚さまで表層モルタル３の吹付けを行う（図６）。モルタルにはポリマーセメントモルタル（PCM）を用いた。
なお、断面修復に必要なモルタルの厚さに応じて、各吹付けの工程は更に複数回に分けて行うこともできる。
【００１２】
次に、繊維シート４を表層モルタル３の表面に取り付ける（Ｓ３）。最後に、断面修復した表層モルタル３の表面をコテ等により平滑にかつ均等な厚さに仕上げを行う。この仕上げの際に繊維シート４を断面修復した面に接触させ、その状態でコテ等による仕上げを行う。繊維シート４は、図８及び図９に示すような３軸のビニロン繊維シート４を用いた。この仕上げを行うと、図１０乃至図１２に示すように、繊維シート４が鏝で均していくと表層モルタル３の表面に埋没していく（Ｓ４、図７）。
以上の工程により、既設床版Ｃの剥落部分Ａの断面修復及び剥落防止を行うことが出来る。
【００１３】
なお、既設床版Ｃの剥落部分Ａの鉄筋の錆びがひどい場合は、錆びた部分を切断して、新たな鉄筋を継ぎ手することにより、剥落の再発防止を行うことができる。
【００１４】
繊維シート４が、乾燥収縮により断面修復部分に生じる引張力を負担し、乾燥収縮ひび割れの抑制が可能である。また、仮に再び、内部鉄筋の発錆によりかぶり部分が剥落した場合に、剥落コンクリートが落下しないように防止することができる。
【図面の簡単な説明】
【００１５】
【図１】本発明の最良の形態に係る断面修復・剥落防止併用工法の施工手順を示すフローチャート図。
【図２】図１に示す施工手順を示す既設床版下面の部分縦断面図。
【図３】図１に示す施工手順を示す既設床版下面の部分縦断面図。
【図４】図１に示す施工手順を示す既設床版下面の部分縦断面図。
【図５】図１に示す施工手順を示す既設床版下面の部分縦断面図。
【図６】図１に示す施工手順を示す既設床版下面の部分縦断面図。
【図７】図１に示す施工手順を示す既設床版下面の部分縦断面図。
【図８】図１に示す断面修復・剥落防止併用工法に係る繊維シートの平面図。
【図９】図８のａ−ａ断面図。
【図１０】図８に示す繊維シートを既設床版に塗り込む前の状態を示す下面図。
【図１１】図１０に示す繊維シートを塗り込んだ状態を示す下面図。
【図１２】図１１に示す既設床版の下面表層部分の縦断面図。
【図１３】従来の断面修復と剥落防止の施工手順を示すフローチャート図。
【符号の説明】
【００１６】
Ａ  剥落部分
Ｃ  既設床版
１  鉄筋
２  基礎モルタル
３  表層モルタル
４  繊維シート
【図１】
2005097881.tif 000003
【図２】
2005097881.tif 000004
【図３】
2005097881.tif 000005
【図４】
2005097881.tif 000006
【図５】
2005097881.tif 000007
【図６】
2005097881.tif 000008
【図７】
2005097881.tif 000009
【図８】
2005097881.tif 000010
【図９】
2005097881.tif 000011
【図１０】
2005097881.tif 000012
【図１１】
2005097881.tif 000013
【図１２】
2005097881.tif 000014
【図１３】
2005097881.tif 000015